(57)【特許請求の範囲】
【請求項１】
天井スラブなどに上端が固定されている吊りボルトの下端側に取り付けられるターンバックルの脚部にボルト及びナットにより吊りバンドの端部が固定されている型式の配管用吊りバンドにおいて、ターンバックルの一方の端部に設けられた開孔、及び一方の吊りバンドの端部に設けられた開孔とに対して、ターンバックルの他方の端部の板材を折り曲げ圧入するバーリング加工を行って、ターンバックルの両端部と一方の吊りバンドの端部を結合すると共に、この部分の内側に雌ネジを形成し、他方の吊りバンドの端部にボルトをボルト固定手段により回動自在に固定したことを特徴とする配管用吊りバンド。
【請求項２】
天井スラブなどに上端が固定されている吊りボルトの下端側に取り付けられるターンバックルの脚部にボルト及びナットにより吊りバンドの端部が固定されている型式の配管用吊りバンドにおいて、一方の吊りバンドの端部に設けられた開孔に対して、ターンバックルの一方の端部の板材を折り曲げ圧入するバーリング加工を行って、ターンバックルの脚部の片方に、一方の吊りバンドの端部を結合し、更に、該バーリング加工部分に対して、ターンバックルの他方の端部の板材を折り曲げ圧入するバーリング加工を行い、この部分の内側に雌ネジを形成し、固定されていない他方の吊りバンドの端部にボルトをボルト固定手段により回動自在に固定したことを特徴とする配管用吊りバンド。
【発明の詳細な説明】
【０００１】
【発明の属する技術分野】
本発明は、空調衛生設備・ガス・水道等の配管を天井等から吊り下げるのに用いられる配管用吊りバンドに関する。
【０００２】
【従来の技術】
配管用吊りバンドとしては図５に示すものが広く利用されている。このタイプのものは原形が実公昭２９−１２４８０号公報に開示されている。このタイプの配管用吊りバンドは、吊りボルト１の上端を天井スラブに埋め込んだインサートの雌ネジに固定し、この吊りボルト１にナット２を介してターンバックル３を高さ調節自在に取り付け、更にこのターンバックル３の両脚部３Ａ・３Ｂにヒンジ機構４で連結されている吊りバンド５Ａ・５Ｂのそれぞれの端部をボルト６及びナット７で締め付けることにより配管８を固定する構成である。この構成を変形した様々なタイプのものが提案ないし実施されている。
【０００３】
実際の作業では、図示の配管用吊りバンドを天井スラブに埋め込んだインサートに固定する作業を前もって行っておき、次いで、実際に配管８を固定する作業を行う。配管８を固定する際には、ナット７を一度取り去って、吊りバンド５Ｂの側を解放し、配管８を内側に通して後、この吊りバンド５Ｂを原位置に戻してナット７による締め付けを行う。
【０００４】
【発明が解決しようとする課題】
図５に示す配管用吊りバンドにおいて、ターンバックル３の脚部３Ａ・３Ｂ及び吊りバンド５Ａ・５Ｂの端部に用意されているボルト孔が所謂バカ穴であるために、配管８を取り付ける段階でナット７を取り去って、吊りバンド５Ｂを仮想線で示す状態に解放させると、ボルト６が中間金具３から脱落してしまうことがしばしば生じている。このため、吊りバンド５Ｂを解放するために取り外したナット７を再びボルト６に取り付ける仮止めが必要であった。
【０００５】
本発明は、上記した作業性の悪さを解消し、片手でボルトとナットの締め付けを行うことができる使い勝手のよい配管用吊りバンドを明らかにすることを目的とする。
【０００６】
【課題を解決するための手段】
本発明に係る配管用吊りバンドは、下記構成を有する。
（１）天井スラブなどに上端が固定されている吊りボルトの下端側に取り付けられるターンバックルの脚部にボルト及びナットにより吊りバンドの端部が固定されている型式の配管用吊りバンドにおいて、ターンバックルの一方の端部に設けられた開孔、及び一方の吊りバンドの端部に設けられた開孔とに対して、ターンバックルの他方の端部の板材を折り曲げ圧入するバーリング加工を行って、ターンバックルの両端部と一方の吊りバンドの端部を結合すると共に、この部分の内側に雌ネジを形成し、他方の吊りバンドの端部にボルトをボルト固定手段により回動自在に固定したことを特徴とする配管用吊りバンド。
（２）天井スラブなどに上端が固定されている吊りボルトの下端側に取り付けられるターンバックルの脚部にボルト及びナットにより吊りバンドの端部が固定されている型式の配管用吊りバンドにおいて、一方の吊りバンドの端部に設けられた開孔に対して、ターンバックルの一方の端部の板材を折り曲げ圧入するバーリング加工を行って、ターンバックルの脚部の片方に、一方の吊りバンドの端部を結合し、更に、該バーリング加工部分に対して、ターンバックルの他方の端部の板材を折り曲げ圧入するバーリング加工を行い、この部分の内側に雌ネジを形成し、固定されていない他方の吊りバンドの端部にボルトをボルト固定手段により回動自在に固定したことを特徴とする配管用吊りバンド。
【０００７】
【発明の実施の態様】
本発明は、ターンバックルの両端部と吊りバンドの一方の端部が固定される構成（３部材固定）であるが、参考例として、２部材が固定される構成（図２、図３）を併せて説明する。
図１に示す実施態様は、吊りボルト１の上端が、天井スラブに埋め込んだインサートの雌ネジに固定され、この吊りボルト１にナット２を介してターンバックル３を高さ調節自在に取り付け、更に、このターンバックル３の両脚部３Ａ・３Ｂに、ヒンジ機構４（蝶番式、組式、提灯式など）で連結されている吊りバンド５Ａ・５Ｂのそれぞれの端部を取り付けることにより配管８を固定する構成である。
【０００８】
図５に示した従来の吊りバンドにおいては、普通のボルト／ナットによりターンバックル３の両脚部３Ａ・３Ｂと吊りバンド５Ａ・５Ｂの上端との締め付けが行われる構成であったことから上記した使い勝手の悪さが生じていた。
【０００９】
そこで、本発明では、一方の吊りバンド５Ａの上端と、ターンバックル３の両脚部３Ａ・３Ｂとを、バーリング加工（図１に示すように、他方の板材の開孔内に重ね合わせた板材を折り曲げ圧入する加工をいう）により結合すると共に、その内側に、雌ネジ９を形成する。他方の吊りバンド５Ｂの端部には、ボルト６をボルト固定手段６Ａにより回動自在に取り付けておく構成とする。従って、従来の吊りバンドにおけるナット７は不要であり、また、ボルト６は解放状態でも脱落しない構成となっている。
【００１０】
ボルト固定手段６Ａとしてはゴムや軟質合成樹脂材の弾力性を利用してボルト６が脱落できないように止めるものでよく、また、スプリングワッシャの如き環状の金属材で緩やかに締め付けて固定するものであってもよく、更には、ボルトの一部を潰し加工することによって鍔部を形成するなど回動自在で且つ脱落しないように固定する構成であってもよい。
【００１１】
図２に示す態様は、ターンバックル３と吊りバンド５Ａとを単一の板材で形成した参考例を示すものである。他の部分の構成は上記した実施例と同一である。
図３に示す態様は、ターンバックル３の一方の脚部３Ａに吊りバンド５Ａの上端をバーリング加工により結合して、他方の脚部３Ｂをフリーとした参考例である。他の部分の構成は上記した実施例と同一である。
【００１２】
図４に示す態様は、吊りバンド５Ａの端部に設けられた開孔部に、脚部３Ｂの側がバーリング加工され、脚部３Ｂの開孔部に脚部３Ａの側がバーリング加工される構成である。
【００１３】
【発明の効果】
本発明に係る配管用吊りバンドによれば、従来の吊りバンドにおけるナット７が不要であるだけでなく、図１に示す如く、配管８を取り付ける際に、ボルト６を雌ネジ９から解放しても、吊りバンド５Ｂの端部から脱落することがない。従って、従来の吊りバンドによる作業で必要であったボルト６やナット７の押え、仮止め作業が不要であり、且つ、片手でボルトとナットとを締め付ける作業が可能で非常に使い勝手がよく、著しい作業能率の向上が得られる利点がある。
【図面の簡単な説明】
【図１】本発明の１実施例を示す一部断面正面図
【図２】参考例を示す一部断面正面図
【図３】他の参考例を示す一部断面正面図
【図４】本発明の他の実施例を示す要部拡大断面図
【図５】従来例を示す正面図
【図１】
0003586013.tif 000002
【図２】
0003586013.tif 000003
【図３】
0003586013.tif 000004
【図４】
0003586013.tif 000005
【図５】
0003586013.tif 000006